(57)【要約】【課題】環境性能を向上させることが可能な浴室用敷物を提供することである。【解決手段】バスマット１は、合成樹脂を含む基材１０と、基材１０の外表面の周囲を被覆する被覆層２０とを備え、被覆層２０は、銀化合物と光触媒効果を有する酸化チタンとを含む。銀化合物はヨウ化銀錯体を含む。基材１０は、ダンボール形状の合成樹脂製の芯材１１と、芯材１１の一方の表面の上に固着された軟質合成樹脂製の第１のクッション材１２と、芯材１１の他方の表面の上に固着された軟質合成樹脂製の第２のクッション材１３と、第１のクッション材１２の表面を少なくとも覆うように形成された合成樹脂製の畳表状の表材１４と、第２のクッション材１３の表面に固着され、外表面が凹凸形状の裏材１５とを含む。【選択図】        図１
2006130106.tif 000002
【特許請求の範囲】
【請求項１】
合成樹脂を含む基材と、
前記基材の外表面の周囲を被覆する被覆層とを備え、
前記被覆層は、銀化合物と光触媒効果を有する酸化チタンとを含む、浴室用敷物。
【請求項２】
前記銀化合物は、ヨウ化銀錯体を含む、請求項１に記載の浴室用敷物。
【請求項３】
前記基材は、
ダンボール形状の合成樹脂製の芯材と、
前記芯材の一方の表面の上に固着された軟質合成樹脂製の第１のクッション材と、
前記芯材の他方の表面の上に固着された軟質合成樹脂製の第２のクッション材と、
前記第１のクッション材の表面を少なくとも覆うように形成された合成樹脂製の畳表状の表材と、
前記第２のクッション材の表面に固着され、外表面が凹凸形状の裏材とを含む、請求項１または請求項２に記載の浴室用敷物。
【発明の詳細な説明】
【技術分野】
【０００１】
この発明は、一般的にはバスマット等の浴室用敷物に関し、特定的には浴室用敷物の環境性能の改善に関するものである。
【背景技術】
【０００２】
浴室や浴場の床面には、滑り防止等を考慮して浴室用敷物が配置されている。浴室内は、入浴時間とその前後の時間、少なくとも１日のうち数時間、湿度がほぼ１００％の状態にある。このため、浴室用敷物の表面は、湿気を好むカビ（糸状菌）や細菌の繁殖場所になる。したがって、放置しておくと、浴室内は人体にとって最悪の環境が作り出されることになる。
【０００３】
この問題を解決するために薬剤を用いて浴室用敷物に抗菌処理等を施すことが行われている。たとえば、特開２００４−１７４０８９号公報（特許文献１）には、白癬菌の発生や繁殖を防止するためにバスマット等のマット類に薬剤として耐洗濯性抗菌剤をスプレーで吹き付けて抗菌処理を施すことが提案されている。
【特許文献１】特開２００４−１７４０８９号公報
【発明の開示】
【発明が解決しようとする課題】
【０００４】
しかしながら、永続性のある確実な抗菌性能をバスマットに付与することは困難であった。
【０００５】
また、抗菌処理を施さない場合には、洗剤、カビ落とし剤等をバスマットに噴霧した後、清掃作業を行う必要があるので、非常に手間がかかるという問題があった。
【０００６】
さらに、浴室用敷物の表面は、湿気を好むカビ（糸状菌）や細菌の繁殖場所になるだけでなく、塵芥等が付着することによって汚れるため、浴室内に臭気成分を放出し、悪臭が生じる。この場合、薬剤、洗剤等を用いてバスマット表面の付着物を除去した後、乾燥させる必要があるので、上記と同様に非常に手間がかかるという問題があった。
【０００７】
したがって、従来のバスマットは、薬剤を用いて抗菌処理を施すという対策を図ることが提案されているとしても、浴室内の環境に悪影響を及ぼすという問題が充分に解決されていなかった。
【０００８】
そこで、この発明の目的は、環境性能を向上させることが可能な浴室用敷物を提供することである。
【課題を解決するための手段】
【０００９】
本発明者は、浴室用敷物の環境性能を改善するために鋭意研究を重ねた結果、浴室敷物を構成する合成樹脂製の基材の外表面に、銀化合物と光触媒効果を有する酸化チタンとを含む被覆層を形成することによって、上記の目的を達成できる浴室用敷物を得ることができることを見出した。このような発明者の知見に基づいて本発明はなされたものである。
【００１０】
この発明に従った浴室用敷物は、合成樹脂を含む基材と、この基材の外表面の周囲を被覆する被覆層とを備え、被覆層は、銀化合物と光触媒効果を有する酸化チタンとを含む。
【００１１】
この発明の浴室用敷物においては、被覆層に含まれている銀化合物中の銀イオンが細菌、糸状菌等を死滅させることができる。被覆層中の銀イオンは長期間にわたって存在するので、浴室用敷物の表面に発生する細菌、糸状菌等を死滅させるという効果を長期間にわたって維持することができる。
【００１２】
また、この発明の浴室用敷物においては、被覆層に含まれている光触媒効果を有する酸化チタンが太陽光や蛍光灯等に含まれる紫外線を受けることによって、特に入浴時間外の昼間に太陽光に含まれる紫外線を受けることによって、室内に活性酸素を発生させ、浴室内の空気中に含まれている臭気成分、細菌、有害な汚染物質等や、浴室用敷物の表面に発生する臭気成分、細菌、有害な汚染物質等を分解または死滅させることができる。光触媒効果を有する酸化チタンは長期間にわたって被覆層に存在することができるので、浴室内に活性酸素を発生させ、上記の臭気成分、細菌、有害な汚染物質等を分解または死滅させるという、光触媒効果を有する酸化チタンによる効果を長期間にわたって維持することができる。
【００１３】
したがって、本発明の浴室用敷物を用いることにより、長期間にわたって、浴室用敷物のある浴室内をより清浄化された快適な環境にすることができる。
【００１４】
なお、浴室用敷物の表面に付着した塵芥等の付着物は水で洗い流せばよい。
【００１５】
この発明に従った浴室用敷物において、銀化合物はヨウ化銀錯体を含むのが好ましい。この場合、ヨウ化銀錯体は、細菌、糸状菌に対して広い抗菌スペクトルを示し、酸やアルカリに対して安定であり、高温の環境下でも安定であり、太陽光や紫外線によってもほとんど分解しないので、長期間にわたって抗菌効果を保つことができる。
【００１６】
また、この発明に従った浴室用敷物を構成する基材は、ダンボール形状の合成樹脂製の芯材と、この芯材の一方の表面の上に固着された軟質合成樹脂製の第１のクッション材と、芯材の他方の表面の上に固着された軟質合成樹脂製の第２のクッション材と、第１のクッション材の表面を少なくとも覆うように形成された合成樹脂製の畳表状の表材と、第２のクッション材の表面に固着され、外表面が凹凸形状の裏材とを含むのが好ましい。
【００１７】
この場合、芯材は、ダンボール形状を有するので、所定の強度を保つとともに浴室用敷物の軽量化を図ることができる。また、第１と第２のクッション材は、浴室用敷物の上を裸足で歩く人に軟らかさを与える。さらに、凹凸形状の裏材は、浴室用敷物の上を裸足で歩く人が滑るのを防止する役割を果たす。なお、畳表状の表材は、檜風呂等の和風の浴室や浴場において趣のある空間を提供する。
【発明の効果】
【００１８】
以上のように、この発明によれば、浴室用敷物のある浴室内をより清浄化された快適な環境にすることができ、さらにその入浴環境を長期間にわたって維持することが可能な浴室用敷物を提供することができる。
【発明を実施するための最良の形態】
【００１９】
図１は、この発明の一つの実施の形態に従った浴室用敷物としてバスマットを、一部断面を含んで示す斜視図である。
【００２０】
図１に示すように、半畳程度の大きさのバスマット１は、合成樹脂を含む基材１０と、基材１０の外表面の周囲を被覆する、二点鎖線で示された被覆層２０とから構成される。
【００２１】
基材１０は、多数の立壁によって区画された多数の筒状の空間を有するダンボール形状の合成樹脂製の芯材１１を内部に含む。芯材１１の一方の表面として表側の表面の上には、軟質合成樹脂製の第１のクッション材１２がホットメルト系の接着剤によって固着されている。芯材１１の他方の表面として裏側の表面、この実施形態では中央部表面の上には、軟質合成樹脂製の第２のクッション材１３がホットメルト系の接着剤によって固着されている。合成樹脂製の畳表状の表材１４は、第１のクッション材１２を覆うとともに、芯材１１の両側面を覆い、さらに第２のクッション材１３によって覆われていない芯材１１の裏側の表面の一部を覆うように配置されている。外表面が凹凸形状である合成樹脂製の裏材１５が、芯材１１の裏側の表面に配置された第２のクッション材１３と表材１４との上にホットメルト系の接着剤によって固着されている。
【００２２】
被覆層２０は、基材１０の外表面の周囲を被覆するように、シリコーン変成水ガラス樹脂と、光触媒効果を有する酸化チタンと、銀化合物としてヨウ化銀錯体と、水とを含む変成水ガラス塗料をスプレー等で塗布した後、たとえば、３時間程度、乾燥させることによって形成されたものである。
【００２３】
以上のようにして構成されたバスマット１を浴室や浴場の床面に配置することにより、被覆層２０に含まれているヨウ化銀錯体中の銀イオンが細菌、糸状菌等を死滅させることができる。１ｐｐｍｍ程度の銀イオン濃度であれば、大腸菌、黄色ブドウ球菌、サルモネラ菌、緑膿菌、Ｏ１５７、ＭＲＳＡ等の種々の細菌を死滅させることができる。１０ｐｐｍ程度の銀イオン濃度であれば、カビを発生させる糸状菌を死滅させることができる。たとえば、浴室内を一日中閉め切った状態で放置しても、バスマット１の表面にカビが発生せず、この状態は１ヶ月経過しても変化がないという実験結果が得られた。
【００２４】
このようにして、家庭用浴室だけでなく、不特定多数の人が出入する温泉等の浴場に本発明のバスマット１を床面に配置することにより、細菌、糸状菌等を死滅させることができ、抗菌性の敷物を提供することができる。
【００２５】
また、被覆層２０中の銀イオンは長期間にわたって存在するので、バスマット１の表面に発生する細菌、糸状菌等を死滅させるという効果を長期間にわたって維持することができる。
【００２６】
さらに、バスマット１においては、被覆層２０に含まれている光触媒効果を有する酸化チタンが太陽光や蛍光灯等に含まれる紫外線を受けることによって、特に入浴時間外の昼間に太陽光に含まれる紫外線を受けることによって、室内に活性酸素を発生させ、浴室内の空気中に含まれている臭気成分、細菌、有害な汚染物質等や、バスマット１の表面に発生する臭気成分、細菌、有害な汚染物質等、たとえば、アンモニアガス、アセトアルデヒドガス、トリメチルアミン等を分解または死滅させることができる。光触媒効果を有する酸化チタンは長期間にわたって被覆層２０に存在することができるので、浴室内に活性酸素を発生させ、上記の臭気成分、細菌、有害な汚染物質等を分解または死滅させるという、光触媒効果を有する酸化チタンによる効果を長期間にわたって維持することができる。
【００２７】
したがって、本発明のバスマット１を用いることにより、長期間にわたって、バスマット１のある浴室内や浴場内をより清浄化された快適な環境にすることができる。
【００２８】
なお、バスマット１の表面に付着した塵芥等の付着物は水で洗い流せばよい。
【００２９】
この実施の形態に従ったバスマット１において、被覆層２０に含まれている銀化合物はヨウ化銀錯体を含む。ヨウ化銀錯体は、細菌、糸状菌に対して広い抗菌スペクトルを示し、酸やアルカリに対して安定であり、高温の環境下でも安定であり、太陽光や紫外線によってもほとんど分解しないので、長期間にわたって抗菌効果を保つことができる。
【００３０】
また、この実施の形態に従ったバスマット１を構成する基材１０は、ダンボール形状の合成樹脂製の芯材１１と、芯材１１の一方の表面の上に固着された軟質合成樹脂製の第１のクッション材１２と、芯材１１の他方の表面の上に固着された軟質合成樹脂製の第２のクッション材１３と、第１のクッション材１２の表面を少なくとも覆うように形成された合成樹脂製の畳表状の表材１４と、第２のクッション材１３の表面に固着され、外表面が凹凸形状の裏材１５とを含むので、次のような作用効果を達成することができる。
【００３１】
芯材１１は、ダンボール形状を有するので、所定の強度を保つとともにバスマット１の軽量化を図ることができる。また、第１と第２のクッション材１２、１３は、バスマット１の上を裸足で歩く人に軟らかさを与える。さらに、凹凸形状の１５は、バスマット１の上を裸足で歩く人が滑るのを防止する役割を果たす。なお、畳表状の表材１４は、檜風呂等の和風の浴室や浴場において趣のある空間を提供する。
【００３２】
以上のように、この発明のバスマット１を浴室や浴場の床面に配置することにより、浴室内や浴場内で発生する、人体に悪影響をもたらす環境上の問題を解決することができ、快適な入浴環境を長期間にわたって提供することができる。
【００３３】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３４】
【図１】この発明の一つの実施の形態に従った浴室用敷物としてバスマットを、一部断面を含んで示す斜視図である。
【符号の説明】
【００３５】
１：バスマット、１０：基材、１１：芯材、１２：第１のクッション材、１３：第２のクッション材、１４：表材、１５：裏材、２０：被覆層。
【図１】
2006130106.tif 000003